(57)【特許請求の範囲】
【請求項１】
話し手の口に当てる口当て部と、聞き手の耳に当てる耳当て部と、これら口当て部と耳当て部とを連結し、前記口当て部に対して発せられた話し手の声を前記耳当て部に伝えるチューブとを備え、前記耳当て部の近くには把持部が設けられているとともに，この把持部には、前記口当て部に対して発せられた話し手の息による空気圧を放出することが可能な開閉自在な空気圧放出孔が設けられていることを特徴とする補聴器。
【請求項２】
前記空気圧放出孔は、前記口当て部にも形成されていることを特徴とする請求項１記載の補聴器。
【請求項３】
話し手の口に当てる口当て部と、聞き手の耳に当てる耳当て部と、これら口当て部と耳当て部とを連結し、前記口当て部に対して発せられた話し手の声を前記耳当て部に伝えるチューブとを備え、前記耳当て部の近くには把持部が設けられているとともに，この把持部には、前記口当て部からの話し手の声量の一部を逃がすことが可能な開閉自在な音量調節孔が設けられていることを特徴とする補聴器。
【請求項４】
前記音量調節孔は、その開口面積が調節可能に構成されていることを特徴とする請求項３記載の補聴器。
【請求項５】
前記音量調節孔は、前記口当て部に対して発せられた話し手の息による空気圧を放出するための空気圧放出孔を兼ねていることを特徴とする請求項３または４記載の補聴器。
【発明の詳細な説明】
【０００１】
【発明の属する技術分野】
本発明は補聴器に関する。特に、話し手の声をチューブを介して聞き手に伝えるようにした補聴器に関するものである。
【０００２】
【従来の技術】
従来この種の補聴器としては、例えば、実開昭６１−２７１９４号公報に記載されたものがある。
【０００３】
図１１はその補聴器を示す正面図である。この補聴器は、口当て部１と、耳当て部２と、これら口当て部１と耳当て部２とを連結する蛇腹状のチューブ３とを備えている。
【０００４】
このような補聴器によれば、口当て部１と耳当て部２とがチューブ３で連結されているので、図１２に示すように、チューブ３を介して話し手Ｈ１の声を聞き手Ｈ２に対して直接的に伝えることができ、話し手Ｈ１の声を聞き手Ｈ２が聞き取りやすくなるという利点が得られる。
【０００５】
【発明が解決しようとする課題】
＜課題１＞
上述した従来の補聴器は、口当て部１に設けられた開口部１ａと耳当て部２に設けられた開口部２ａ以外に開口部が設けられていなかった。このため、口当て部１に発せられた話し手Ｈ１の息が大きな空気圧となって耳当て部２から聞き手Ｈ２にかかることがあり、聞き手Ｈ２が強い不快感を受けることがあるという問題があった。
【０００６】
＜課題２＞
上述した従来の補聴器は、口当て部１に設けられた開口部１ａと耳当て部２に設けられた開口部２ａ以外に開口部が設けられていなかったので、話し手Ｈ１の声量が多い場合には、聞こえ過ぎてやかましいという問題があった。
【０００７】
本発明の第１の目的は、上述した課題１を解決し、話し手の息による大きな空気圧が聞き手にかかりにくくなり、聞き手の不快感が軽減される補聴器を提供することにある。
【０００８】
また、第２の目的は、話し手の声が大きく聞こえ過ぎないようにすることができる補聴器を提供することにある。
【０００９】
【課題を解決するための手段】
上記第１の目的を達成するために請求項１記載の補聴器は、話し手の口に当てる口当て部と、聞き手の耳に当てる耳当て部と、これら口当て部と耳当て部とを連結し、前記口当て部に対して発せられた話し手の声を前記耳当て部に伝えるチューブとを備え、前記耳当て部の近くには把持部が設けられているとともに，この把持部には、前記口当て部に対して発せられた話し手の息による空気圧を放出することが可能な開閉自在な空気圧放出孔が設けられていることを特徴とする。
【００１０】
請求項２記載の補聴器は、請求項１記載の補聴器において、前記空気圧放出孔は、前記口当て部にも形成されていることを特徴とする。
【００１１】
上記第２の目的を達成するために請求項３記載の補聴器は、話し手の口に当てる口当て部と、聞き手の耳に当てる耳当て部と、これら口当て部と耳当て部とを連結し、前記口当て部に対して発せられた話し手の声を前記耳当て部に伝えるチューブとを備え、前記耳当て部の近くには把持部が設けられているとともに，この把持部には、前記口当て部からの話し手の声量の一部を逃がすことが可能な開閉自在な音量調節孔が設けられていることを特徴とする。
【００１２】
請求項４記載の補聴器は、請求項３記載の補聴器において、前記音量調節孔は、その開口面積が調節可能に構成されていることを特徴とする。
【００１３】
請求項５記載の補聴器は、請求項３または４記載の補聴器において、前記音量調節孔は、前記口当て部に対して発せられた話し手の息による空気圧を放出するための空気圧放出孔を兼ねていることを特徴とする。
【００１６】
【作用効果】
請求項１記載の補聴器によれば、話し手の口に当てる口当て部と、聞き手の耳に当てる耳当て部と、これら口当て部と耳当て部とを連結し、口当て部に対して発せられた話し手の声を耳当て部に伝えるチューブとを備えているので、話し手の口に口当て部を当てるとともに、聞き手の耳に耳当て部を当てた状態にして使用することにより、話し手の声を聞き手に対してチューブで直接的に伝えることができる。
【００１７】
補聴器には、口当て部に対して発せられた話し手の息による空気圧を放出するための空気圧放出孔が設けられているので、話し手の息による空気圧が大きくなったとしても、その空気圧は空気圧放出孔から抜けることとなる。
【００１８】
したがって、請求項１記載の補聴器によれば、話し手の息による大きな空気圧が聞き手にかかりにくくなり、聞き手の不快感が軽減されるという効果が得られる。
【００１９】
請求項２記載の補聴器によれば、請求項１記載の補聴器において、空気圧放出孔が口当て部に形成されているので、会話時には、話し手が空気圧放出孔に向けて息を抜くようにして話すことができ、話し手の息を口当て部で直接抜くことができる。
【００２０】
これにより、会話時には話し手側で積極的に空気圧を抜くようにすることができ、聞き手が不快感を受けないように話し手側で気遣うことができる。
【００２１】
請求項３記載の補聴器によれば、話し手の口に当てる口当て部と、聞き手の耳に当てる耳当て部と、これら口当て部と耳当て部とを連結し、口当て部に対して発せられた話し手の声を耳当て部に伝えるチューブとを備えているので、話し手の口に口当て部を当てるとともに、聞き手の耳に耳当て部を当てた状態にして使用することにより、話し手の声を聞き手に対してチューブで直接的に伝えることができる。
【００２２】
口当て部と耳当て部との間には、口当て部からの話し手の声量の一部を逃がすことが可能な開閉自在な音量調節孔が設けられているので、話し手の声量が多く、話し手の声が大きく聞こえ過ぎるような場合には、この音量調節孔を開いて話し手の声量の一部を逃がすことにより、耳当て部に伝わってくる話し手の声量が小さくなるようにすることができる。
【００２３】
したがって、請求項３記載の補聴器によれば、話し手の声が聞き取りやすくなるという効果が得られる。
【００２４】
請求項４記載の補聴器によれば、請求項３記載の補聴器において、音量調節孔は、その開口面積が調節可能に構成されているので、話し手の声が大きく聞こえ過ぎるような場合には、音量調節孔の開口面積を調節することにより、耳当て部に伝わってくる話し手の声量が適正な大きさとなるようにすることができる。
【００２５】
したがって、話し手の声が一層聞き取りやすくなるという効果が得られる。
【００２６】
請求項５記載の補聴器は、請求項３または４記載の補聴器において、音量調節孔は、口当て部に対して発せられた話し手の息による空気圧を放出するための空気圧放出孔を兼ねているので、会話中に話し手の息が大きな空気圧となって聞き手にかかるような場合には、この音量調節孔を開くことにより、話し手の息による空気圧を抜くことができる。
【００２７】
したがって、話し手の息による大きな空気圧が聞き手にかかりにくくなるようにすることができるという効果が得られる。
【００２８】
また、話し手の声量の調節と空気圧の調節とを音量調節孔の開閉操作で行なうことができるので、操作性がよくなり扱いやすくなるという効果が得られる。
【００２９】
請求項６記載の補聴器によれば、請求項１〜５のうちいずれか１項に記載の補聴器において、耳当て部の近くに把持部が設けられているので、会話時には把持部を把持して耳当て部を耳に当てることができ、耳当て部を耳に当てる操作が行ないやすくなるという効果が得られる。
【００３０】
請求項７記載の補聴器によれば、請求項６記載の補聴器において、把持部には、空気放出孔および／または音量調節孔が形成されているので、空気圧の調節および／または音量の調節を把持部を把持した状態で行なうことができ、一層使いやすくなるという効果が得られる。
【００３１】
【発明の実施の形態】
以下、本発明の実施の形態について図面を参照して説明する。
【００３２】
＜第１の実施の形態＞
図１は本発明に係る補聴器の第１の実施の形態を示す全体図、図２は口当て部を示す拡大図であり、（ａ）は正面図、（ｂ）は（ａ）のｂ−ｂ断面図、（ｃ）は（ｂ）のｃ−ｃ端面図、図３は把持部を示す図であり、（ａ）は正面図、（ｂ）は平面図、（ｃ）は左側面図、（ｄ）は右側面図、（ｅ）は（ｄ）のｅ−ｅ断面図、（ｆ）は（ｅ）のｆ−ｆ断面図、図４は耳当て部を示す拡大図であり、（ａ）は正面図、（ｂ）は左側面図、（ｃ）は右側面図、（ｄ）は（ｃ）のｄ−ｄ断面図、図５（ａ）は耳当て部の取付構造を示す拡大断面図、（ｂ）は把持部の接続部とチューブとの接続構造を示す拡大断面図、図６は使用状態説明図である。
【００３３】
図１，図６に示すように、本実施の形態の補聴器は、話し手Ｈ１の口に当てる口当て部１０と、把持部２０と、この把持部２０に設けられ聞き手Ｈ２の耳に当てる耳当て部３０と、口当て部１０と把持部２０とを連結し、口当て部１０に対して発せられた話し手Ｈ１の声を耳当て部３０に伝えるチューブ４０とを備えている。
【００３４】
口当て部１０は、図２（ｂ）に示すように、基部１１とカップ部１２とからなっている。
【００３５】
基部１１は、例えばＡＢＳ樹脂等の硬質の材料により形成されており、カップ部１２を取り付けるための取付部１１ａと、チューブ４０の一端部４０ａが圧入されて接続される円筒状の接続部１１ｂとを有している。この接続部１１ｂには、図２（ｃ）に示すように、スリット１１ｂ１が設けられているとともに、その内壁面には、図２（ｂ）にも示すように、接続部１１ｂ内に圧入されたチューブ４０の一端部４０ａにくい込む抜け止め用のローレット１１ｂ２が形成されている。接続部１１ｂには、図２（ｂ）中二点鎖線で示すように、内面テーパ状のカバー１１ｃが接続部１１ｂを締め付ける状態に、取り付けられるようになっている。接続部１１ｂにカバー１１ｃが取り付けられると、スリット付きの接続部１１ｂが内方に撓んで、そのローレット１１ｂ２がチューブ４０の一端部４０ａに一層くい込む状態となり、チューブ４０が接続部１１ｂから外れにくくなる。接続部１１の基底部には、カップ部１２側と連通する連通孔１１ｃが形成されている。
【００３６】
カップ部１２は、例えばエラストマー，シリコンゴム等の軟質材により円錐状に形成されている。カップ部１２は、下部１２ｂが上部１２ａよりも大きく形成されており、その上部１２ａには、空気圧放出孔としてのスリット１３が３本形成されている。
【００３７】
把持部２０は、図３に示すように、握りやすい円筒状のグリップ２１を備えており、上端部側方２０ａには、耳当て部３０を取り付けるための取付部２２が設けられているとともに、下端部２０ｂには、チューブ４０の他端部４０ｂ（図１参照）が圧入されて接続される円筒状の接続部２３が設けられている。取付部２２と接続部２３との間は、図３（ｅ）に示すように、連通路２４で連通されている。
【００３８】
接続部２３とチューブ４０との接続構造は、上述した口当て部１０の接続部１１ｂとチューブ４０との接続構造と同様であり、図３（ｃ）〜（ｅ），図５（ｂ）に示すように、接続部２３にスリット２３ａとローレット２３ｂとが形成されているとともに、接続部２３に内面テーパ状のカバー２３ｃが取り付けられるようになっている。すなわち、接続部２３にチューブ４０の他端部４０ｂが圧入され、接続部２３に内面テーパ状のカバー２３ｃが取り付けられると、スリット付きの接続部２３が内方に撓んで、そのローレット２３ｂがチューブ４０の他端部４０ｂに一層くい込む状態となり、チューブ４０が接続部２３から外れにくくなる。
【００３９】
図３（ａ）（ｃ）に示すように、グリップ２１には、グリップ２１内の連通路２４に連通する音量調節孔２５が設けられている。この音量調節孔２５は、前記口当て部１０からの話し手Ｈ１の声量の一部を逃がすことが可能となっており、その開口部２５ｂは指で塞げるようになっている。音量調節孔２５の周辺部２５ａは、指を当てやすいように凹状に形成されている。本実施の形態では、この音量調節孔２５が、口当て部１０に対して発せられた話し手Ｈ１の息による空気圧を放出するための空気圧放出孔としての役割も成すようになっている。
【００４０】
耳当て部３０は、例えばエラストマー，シリコンゴム等の軟質材により形成されている。耳当て部３０は、図４に示すように、把持部２０の取付部２２に外嵌される円筒状の基部３１と、円錐状のカップ部３２とを有している。
【００４１】
なお、取付部２２の外壁面には、基部３１の内壁面にくい込む抜け止め用のローレット２２ａが形成されている。
【００４２】
チューブ４０は、例えばエラストマー等の軟質材により形成されており、前述したようにして、一端部４０ａが前記口当て部１０の接続部１１ｂに接続されるとともに、他端部４０ｂが前記把持部２０の接続部２３に接続される。
【００４３】
上述した本実施の形態の補聴器によれば、図６に示すように、口当て部１０を話し手Ｈ１の口に当てるとともに、耳当て部３０を聞き手Ｈ２の耳に当てた状態にして使用することにより、話し手Ｈ１の声を聞き手Ｈ２に対してチューブ４０で直接的に伝えることができる。
【００４４】
耳当て部３０の近くには把持部２０が設けられているので、会話時には把持部２０を把持して耳当て部３０を耳に当てることができ、耳当て部３０を耳に当てる操作が行ないやすくなるという効果が得られる。
【００４５】
口当て部１０には、話し手Ｈ１の息による空気圧を放出することが可能なスリット１３が設けられているので、話し手Ｈ１の息による空気圧が大きくなったとしても、その空気圧はスリット１３から抜けることとなる。
【００４６】
したがって、本実施の形態の補聴器によれば、話し手Ｈ１の息による大きな空気圧が聞き手Ｈ２にかかりにくくなり、聞き手Ｈ２の不快感が軽減されるという効果が得られる。
【００４７】
しかも、会話時には、話し手Ｈ１がこのスリット１３に向けて息を抜くようにして話すことができるので、話し手Ｈ１の息を口当て部１０で直接抜くことができる。
【００４８】
これにより、話し手Ｈ１側で積極的に空気圧を抜くようにすることができ、聞き手Ｈ２が不快感を受けないように話し手Ｈ１側で気遣うことができる。
【００４９】
把持部２０には、音量調節孔２５が設けられているので、話し手Ｈ１の声量が多く、話し手Ｈ１の声が大きく聞こえ過ぎるような場合には、この音量調節孔２５を開いて話し手Ｈ１の声量の一部を逃がすことにより、耳当て部３０に伝わってくる話し手Ｈ１の声量が小さくなるようにすることができる。
【００５０】
したがって、本実施の形態の補聴器によれば、話し手Ｈ１の声が聞き取りやすくなるという効果が得られる。
【００５１】
音量調節孔２５は、口当て部１０に対して発せられた話し手Ｈ１の息による空気圧を放出するための空気圧放出孔を兼ねているので、会話中に話し手Ｈ１の息が大きな空気圧となって聞き手Ｈ２にかかるような場合には、この音量調節孔２５を開くことにより、話し手Ｈ１の息による空気圧を抜くことができる。
【００５２】
したがって、話し手Ｈ１の息による大きな空気圧が聞き手Ｈ２にかかりにくくなるようにすることができる。
【００５３】
また、話し手Ｈ１の声量の調節と空気圧の調節とを、音量調節孔２５の開閉操作で行なうことができるので、操作性がよくなり扱いやすくなるという効果が得られる。
【００５４】
さらに、これらの操作は把持部２０を把持した状態で行なうことができるので、使いやすくなるという効果が得られる。
【００５５】
なお、不使用時には把持部２０にチューブ４０を巻き付ける等してコンパクトな状態とすることができるので、携帯しやすいという利点も得られる。
【００５６】
＜第２の実施の形態＞
図７は本発明に係る補聴器の第２の実施の形態を示す把持部の部分拡大図であり、（ａ）は正面図、（ｂ）は左側面図である。
【００５７】
本実施の形態が前記第１の実施の形態と異なる点は、把持部２０に設けられた音量調節孔２５の開口面積が調節可能に構成されている点にあり、その他の点に変更はない。
【００５８】
図７（ａ）（ｂ）に示すように、把持部２０には、把持部２０内に形成された連通路２４に連通する音量調節孔２５が設けられている。音量調節孔２５の口縁には、図中矢印Ｘ１，Ｘ２方向にスライド可能な蓋部５０が設けられており、この蓋部５０のスライド操作によって音量調節孔２５の開口面積が調節可能な構成となっている。音量調節孔２５の開口面積は、蓋部５０が図中実線で示すように、一端部５１ａにあるとき、最大となるようになっている。また、音量調節孔２５は、蓋部５０が図中点線で示すように他端部５１ｂにあるとき、閉じられるようになっている。
【００５９】
上述した本実施の形態の補聴器によれば、上述した第１の実施の形態のところで説明した作用効果に加えて次のような作用効果が得られる。
【００６０】
すなわち、音量調節孔２５の開口面積が調節可能に構成されているので、話し手Ｈ１の声が大きく聞こえ過ぎるような場合には、音量調節孔２５の開口面積を調節して話し手Ｈ１の声量の一部を逃がすことにより、耳当て部３０に伝わってくる話し手Ｈ１の声量が適正な大きさとなるようにすることができる。
【００６１】
したがって、話し手Ｈ１の声が一層聞き取りやすくなるという効果が得られる。
【００６２】
以上、本発明の実施の形態について説明したが、本発明は上記実施の形態に限定されるものではなく、本発明の要旨の範囲内において適宜変形実施可能である。
【００６３】
例えば、図８（ａ）（ｂ）に示すような三股の分岐部材６０を図９に示すようにチューブ４０の途中に設けて、チューブ４０を分岐させても良い。
【００６４】
このような分岐部材６０を用いた補聴器によれば、２つの口当て部１０からの話し手Ｈ１の声を分岐部材６０を介して聞き手Ｈ２に伝えることができるようになり、３人で会話をすることができるようになる。なお、複数個の分岐部材６０を用いることにより４人以上での会話も可能になる。
【００６５】
また、図１０に示すように、チューブ４０の任意の位置に空気圧放出孔としてのスリット４５を形成しても良い。
【図面の簡単な説明】
【図１】本発明に係る補聴器の第１の実施の形態を示す全体図。
【図２】口当て部を示す拡大図であり、（ａ）は正面図、（ｂ）は（ａ）のｂ−ｂ断面図、（ｃ）は（ｂ）のｃ−ｃ端面図。
【図３】把持部を示す図であり、（ａ）は正面図、（ｂ）は平面図、（ｃ）は左側面図、（ｄ）は右側面図、（ｅ）は（ｄ）のｅ−ｅ断面図、（ｆ）は（ｅ）のｆ−ｆ断面図。
【図４】耳当て部を示す拡大図であり、（ａ）は正面図、（ｂ）は左側面図、（ｃ）は右側面図、（ｄ）は（ｃ）のｄ−ｄ断面図。
【図５】（ａ）は耳当て部の取付構造を示す拡大断面図、（ｂ）は把持部の接続部とチューブとの接続構造を示す拡大断面図。
【図６】使用状態説明図。
【図７】本発明に係る補聴器の第２の実施の形態を示す把持部の部分拡大図であり、（ａ）は正面図、（ｂ）は左側面図。
【図８】分岐部材を示す図であり、（ａ）は正面図、（ｂ）は平面図。
【図９】使用状態説明図。
【図１０】変形例の説明図。
【図１１】従来技術の説明図。
【図１２】従来技術の説明図。
【符号の説明】
１０          口当て部
２０          把持部
２５          音量調節孔
３０          耳当て部
４０          チューブ
５０          蓋部
６０          分岐部材
【図１】
0003809852.tif 000002
【図２】
0003809852.tif 000003
【図３】
0003809852.tif 000004
【図４】
0003809852.tif 000005
【図５】
0003809852.tif 000006
【図６】
0003809852.tif 000007
【図７】
0003809852.tif 000008
【図８】
0003809852.tif 000009
【図９】
0003809852.tif 000010
【図１０】
0003809852.tif 000011
【図１１】
0003809852.tif 000012
【図１２】
0003809852.tif 000013